(57)【要約】  保管状態においてメディエータが還元されるのを抑制することができる技術を提供する。  酸素原子の二重結合を有する親水性高分子を含む親水層１０６ａに分離して積層された試薬層（酵素層１０６ｂ、メディエータ層１０６ｃ）には、酵素およびメディエータと、酸素原子の二重結合を有さない親水性高分子とが含まれている。したがって、メディエータの周囲が酸素原子の二重結合を有さない親水性高分子により囲まれた状態となるので、保管状態においてメディエータ層１０６ｃに含まれるメディエータが親水層１０６ａの親水性高分子であるＣＭＣと接触するのを防止することができ、メディエータが親水層１０６ａの酸素原子の二重結合を有する親水性高分子により還元されるのを抑制することができる。
2013137172.tif 000002
【特許請求の範囲】
【請求項１】
絶縁性基板の一方面に作用極および対極を含む電極系が設けられた電極層と、
スリットが形成されて、前記スリットが前記作用極および前記対極の先端側に配置されて前記電極層の前記一方面に積層されるスペーサ層と、
前記電極層および前記スリットにより形成されて試料が供給されるキャビティと、
前記キャビティに連通する空気穴が形成されて前記キャビティを被覆して前記スペーサ層に積層されるカバー層と、
前記キャビティに露出する前記作用極および前記対極の先端側に設けられた反応層とを備えるバイオセンサにおいて、
前記反応層は、
前記電極層上に設けられ、酸素原子の二重結合を有する親水性高分子を含む親水層と、
前記親水層に積層され、測定対象物質と反応する酵素およびメディエータと、酸素原子の二重結合を有さない親水性高分子を含む試薬層と
を備えることを特徴とするバイオセンサ。
【請求項２】
前記反応層は、
前記親水層と前記試薬層との間に、前記酸素原子の二重結合を有さない親水性高分子を含む中間層をさらに備えることを特徴とする請求項１に記載のバイオセンサ。
【請求項３】
前記試薬層は、
前記酵素および前記酸素原子の二重結合を有さない親水性高分子を含む酵素層と、
前記メディエータおよび前記酸素原子の二重結合を有さない親水性高分子を含むメディエータ層と
を備えることを特徴とする請求項１または２に記載のバイオセンサ。
【請求項４】
前記酵素層上に前記メディエータ層が積層されていることを特徴とする請求項３に記載のバイオセンサ。
【請求項５】
前記酸素原子の二重結合を有さない親水性高分子は、ヒドロキシプロピルメチルセルロース、ヒドロキシプロピルセルロース、メチルセルロース、ヒドロキシエチルセルロース、ヒドロキシエチルメチルセルロース、ポリビニルアルコール、ポリエチレングリコールのうちの少なくとも１つを含むことを特徴とする請求項１ないし４のいずれかに記載のバイオセンサ。
【請求項６】
前記酸素原子の二重結合を有する親水性高分子は、少なくともカルボキシメチルセルロースを含むことを特徴とする請求項１ないし５のいずれかに記載のバイオセンサ。
【発明の詳細な説明】
【技術分野】
【０００１】
本発明は、作用極および対極を含む電極系が設けられた電極層と、キャビティを形成するためのスリットが形成されて電極層に積層されるスペーサ層と、キャビティに連通する空気穴が形成されてスペーサ層に積層されるカバー層と、作用極および対極に設けられた反応層とを備えるバイオセンサに関する。
【背景技術】
【０００２】
図８の従来のバイオセンサに示すように、作用極５０１および対極５０２を含む電極系と、測定対象物質と特異的に反応する酵素を含む反応層５０３とを有するバイオセンサ５００を用いて、試料に含まれる測定対象物質と反応層５０３とが反応することで生成される還元物質を作用極５０１と対極５０２との間に電圧を印加して酸化することにより得られる酸化電流を計測することで測定対象物質の定量を行う物質の測定方法が知られている（例えば特許文献１参照）。【０００３】
図８に示すバイオセンサ５００は、試料に含まれるグルコースを定量するためのセンサであって、ポリエチレンテレフタレートやポリイミドなどの絶縁性基板に電極が設けられて形成された電極層５０４と、カバー層５０６と、電極層５０４とカバー層５０６とに挟まれて配置されるスペーサ層５０５とが積層されて形成される。また、スペーサ層５０５には、試料が供給されるキャビティ５０７を形成するためのスリットが設けられており、電極層５０４にスペーサ層５０５を介してカバー層５０６が積層されて接着されることで、電極層５０４と、スペーサ層５０５のスリットの部分と、カバー層５０６とにより試料が供給されるキャビティ５０７が形成される。そして、スリットの開口部分によりバイオセンサ５００の側面に形成される試料導入口からキャビティ５０７に試料が供給される。また、カバー層５０６には、毛細管現象による試料のキャビティ５０７への供給を円滑に行うために、キャビティ５０７の終端部と連通する空気穴５０６ａが形成されている。【０００４】
また、電極層５０４には、作用極５０１および対極５０２が設けられ、これらの電極５０１，５０２にそれぞれ電気接続される電極パターンが設けられることにより電極層５０４に電極系が形成されている。また、作用極５０１および対極５０２上には反応層５０３が設けられており、作用極５０１および対極５０２は、それぞれバイオセンサ５００に形成されたキャビティ５０７に露出するように電極層５０４に設けられている。【０００５】
したがって、液体から成る試料がキャビティ５０７に試料導入口から供給されると、キャビティ５０７に露出する各電極５０１，５０２と反応層５０３とが試料に接触すると共に、反応層５０３が試料に溶解する。【０００６】
また、作用極５０１および対極５０２上に設けられた反応層５０３は、電極層５０４上に設けられ、親水性高分子であるカルボキシメチルセルロース（ＣＭＣ）を含む親水層５０３ａと、親水層５０３ａに積層され、試料に含まれるグルコースに特異的に反応するグルコースオキシダーゼおよびメディエータ（電子受容体）としてのフェリシアン化カリウムを含む試薬層５０３ｂとにより形成されている。そして、電極層５０４上に設けられた親水層５０３ａにより、各電極５０１，５０２が保護されると共に、試薬層５０３ｂの剥離が防止されている。【０００７】
また、フェリシアン化カリウムが試料に溶解することによるフェリシアン化イオンは、グルコースオキシダーゼと反応してグルコースがグルコノラクトンに酸化される際に放出される電子により還元体であるフェロシアン化イオンに還元される。したがって、バイオセンサ５００に形成されたキャビティ５０７にグルコースを含む試料が試料導入口から供給されると、フェリシアン化イオンはグルコースが酸化されることにより放出される電子により還元されるため、試料に含まれて酵素反応により酸化されるグルコースの濃度に応じた量だけフェリシアン化イオンの還元体であるフェロシアン化イオンが生成される。【０００８】
このよう構成されたバイオセンサ５００では、酵素反応の結果生じたメディエータの還元体を作用極５０１上で酸化することにより得られる酸化電流が試料中のグルコース濃度に依存した大きさとなるため、この酸化電流を計測することにより試料に含まれるグルコースの定量を行うことができる。
【先行技術文献】
【特許文献】
【０００９】
【特許文献１】特開２００１−２８１２０２号公報（段落００１７，００１８、図２など）
【発明の概要】
【発明が解決しようとする課題】
【００１０】
ところで、血液試料には赤血球などの血球が含まれており、上記した酸化電流の大きさは、血液試料中の血球の容積の割合を示すヘマトクリット値の大きさに影響されることが知られている。そこで、上記したバイオセンサ５００では、電極層５０４上に設けられ、親水性高分子であるＣＭＣを含む親水層５０３ａにより、血液試料が濾過されて血球の電極層方向への移動が抑制されることで、ヘマトクリット値の差異に伴う測定精度への影響の低減が図られている。【００１１】
ところが、ＣＭＣなどの親水性高分子は、試薬層５０３ｂに含まれるメディエータを還元することが知られている。したがって、例えばバイオセンサ５００が保管された状態において、親水層に含まれる親水性高分子によりメディエータが還元されると、上記した酸化電流を計測する際に、親水性高分子により還元されたメディエータが酸化することによる酸化電流もバックグランド電流として、計測対象である酸化電流と一緒に計測されるので、測定精度が劣化する。そこで、バイオセンサ５００では、親水性高分子を含む親水層５０３ａと、メディエータを含む試薬層５０３ｂとが分離して積層されることにより、親水層５０３ａに含まれる親水性高分子と、試薬層５０３ｂに含まれるメディエータとの反応が防止されている。【００１２】
しかしながら、上記したように親水層５０３ａおよび試薬層５０３ｂが分離して積層されていても、親水層５０３ａおよび試薬層５０３ｂが接触する界面から、親水性高分子とメディエータとの反応が徐々に進むことにより、バイオセンサ５００を用いた測定精度が劣化するので、技術の改善が求められていた。【００１３】
本発明は、上記課題に鑑みてなされたものであり、保管状態においてメディエータが還元されるのを抑制することができる技術を提供することを目的とする。
【課題を解決するための手段】
【００１４】
上記した目的を達成するために、本発明のバイオセンサは、絶縁性基板の一方面に作用極および対極を含む電極系が設けられた電極層と、スリットが形成されて、前記スリットが前記作用極および前記対極の先端側に配置されて前記電極層の前記一方面に積層されるスペーサ層と、前記電極層および前記スリットにより形成されて試料が供給されるキャビティと、前記キャビティに連通する空気穴が形成されて前記キャビティを被覆して前記スペーサ層に積層されるカバー層と、前記キャビティに露出する前記作用極および前記対極の先端側に設けられた反応層とを備えるバイオセンサにおいて、前記反応層は、前記電極層上に設けられ、酸素原子の二重結合を有する親水性高分子を含む親水層と、前記親水層に積層され、測定対象物質と反応する酵素およびメディエータと、酸素原子の二重結合を有さない親水性高分子を含む試薬層とを備えることを特徴としている（請求項１）。【００１５】
このように構成された発明では、スペーサ層のスリットにより形成されたキャビティに露出する作用極および対極の先端側に設けられた反応層は、酸素原子の二重結合を有する親水性高分子を含む親水層と、酵素およびメディエータと、酸素原子の二重結合を有さない親水性高分子とを含む試薬層とを備えている。親水性高分子が酸素原子の二重結合を有する場合、酸素原子の二重結合を有する官能基がメディエータに対して求核攻撃することによりメディエータが還元されると考えられるが、酸素原子の二重結合を有する親水性高分子を含む親水層に分離して積層された試薬層には、酵素およびメディエータと、酸素原子の二重結合を有さない親水性高分子とが含まれている。【００１６】
したがって、メディエータの周囲が酸素原子の二重結合を有さない親水性高分子により囲まれた状態となるので、保管状態において試薬層に含まれるメディエータが親水層の親水性高分子と接触するのを防止することができ、メディエータが親水層の親水性高分子により還元されるのを抑制することができる。また、一般的に、酸素原子の二重結合を有する親水性高分子は、酸素原子の二重結合を有さない親水性高分子よりも血球等の移動を阻止する効果が高く、電極層上に設けられた親水層には、酸素原子の二重結合を有する親水性高分子が含まれているため、バイオセンサのキャビティに例えば血液試料が供給された場合に、親水層の親水性高分子により血液試料が効率よく濾過されて血液試料に含まれる血球の移動が阻止されるので、血液試料のヘマトクリット値の差異に伴う測定精度への影響を低減することができる。したがって、本試薬構造により、メディエータの還元抑制とヘマトクリット値の差異に伴う測定精度への影響低減を両立することが可能となり、正確で信頼性の高いバイオセンサを提供することができる。【００１７】
また、前記反応層は、前記親水層と前記試薬層との間に、前記酸素原子の二重結合を有さない親水性高分子を含む中間層をさらに備えていてもよい（請求項２）。【００１８】
このように構成すると、親水層と試薬層との間に、酸素原子の二重結合を有さない親水性高分子を含む中間層が設けられており、親水層に含まれる酸素原子の二重結合を有する親水性高分子が試薬層に含まれるメディエータに接触するのが中間層により防止されるので、試薬層に含まれるメディエータが親水層の親水性高分子により還元されるのをさらに抑制することができる。【００１９】
また、前記試薬層は、前記酵素および前記酸素原子の二重結合を有さない親水性高分子を含む酵素層と、前記メディエータおよび前記酸素原子の二重結合を有さない親水性高分子を含むメディエータ層とを備えているとよい（請求項３）。【００２０】
このようにすれば、酵素および酸素原子の二重結合を有さない親水性高分子を含む酵素層と、メディエータおよび酸素原子の二重結合を有さない親水性高分子を含むメディエータ層とにより試薬層が形成されており、酵素およびメディエータが分離された状態であるので、保管状態においてメディエータが酵素により還元されるのを抑制することができる。【００２１】
また、前記酵素層上に前記メディエータ層が積層されていてもよい（請求項４）。【００２２】
このようにすると、酵素層上にメディエータ層が積層されており、電極層により近い位置に酵素層が配置されている。酵素の移動度はメディエータより小さいので、電極近傍での酵素・メディエータ量が、メディエータの上に酵素が積層された場合より多くなり、センサの応答性と測定精度が向上する。【００２３】
また、前記酸素原子の二重結合を有さない親水性高分子は、ヒドロキシプロピルメチルセルロース、ヒドロキシプロピルセルロース、メチルセルロース、ヒドロキシエチルセルロース、ヒドロキシエチルメチルセルロース、ポリビニルアルコール、ポリエチレングリコールのうちの少なくとも１つを含むとよい（請求項５）。【００２４】
このようにすると、ヒドロキシプロピルメチルセルロース、ヒドロキシプロピルセルロース、メチルセルロース、ヒドロキシエチルセルロース、ヒドロキシエチルメチルセルロース、ポリビニルアルコール、ポリエチレングリコールのうちの少なくとも１つが酸素原子の二重結合を有さない親水性高分子として試薬層に含まれることにより、試薬層に含まれるメディエータが還元されるのを防止することができると共に、試薬層が親水層から剥離するのを防止することができるので、実用的な構成のバイオセンサを提供することができる。【００２５】
また、前記酸素原子の二重結合を有する親水性高分子は、少なくともカルボキシメチルセルロースを含むとよい（請求項６）。【００２６】
このように構成すれば、酸素原子の二重結合を有する親水性高分子として少なくともカルボキシメチルセルロースを含む親水層を電極層上に設けることにより、親水層に積層される試薬層が剥離するのを防止することができる。また、バイオセンサのキャビティに例えば血液試料が供給された場合に、親水層の親水性高分子により血液試料が濾過されて血液試料に含まれる血球の移動が阻止されるので、血液試料のヘマトクリット値の差異に伴う測定精度への影響を低減することができる。
【発明の効果】
【００２７】
本発明によれば、メディエータの周囲が酸素原子の二重結合を有さない親水性高分子により囲まれた状態となるので、保管状態において試薬層に含まれるメディエータが親水層の親水性高分子と接触するのを防止することができ、メディエータが親水層の親水性高分子により還元されるのを抑制することができる。また、バイオセンサのキャビティに例えば血液試料が供給された場合に、親水層の酸素原子の二重結合を有する親水性高分子により血液試料が効率よく濾過されて血液試料に含まれる血球の移動が阻止されるので、血液試料のヘマトクリット値の差異に伴う測定精度への影響を低減することができる。したがって、本試薬構造により、メディエータの還元抑制とヘマトクリット値の差異に伴う測定精度への影響低減を両立することが可能となり、正確で信頼性の高いバイオセンサを提供することができる。
【図面の簡単な説明】
【００２８】
【図１】本発明の第１実施形態にかかるバイオセンサを示す図であって、（ａ）は分解斜視図、（ｂ）は斜視図である。
【図２】図１のバイオセンサのキャビティ部分の横断面図である。
【図３】本発明の第１実施形態にかかるバイオセンサの製造方法を示す図であって、（ａ）〜（ｃ）はそれぞれ異なる工程を示す。
【図４】バイオセンサの保管期間とバックグランド電流との関係を示す図である。
【図５】本発明の第２実施形態にかかるバイオセンサのキャビティ部分の横断面図である。
【図６】本発明の第３実施形態にかかるバイオセンサのキャビティ部分の横断面図である。
【図７】本発明の第４実施形態にかかるバイオセンサのキャビティ部分の横断面図である。
【図８】従来のバイオセンサを示す図である。
【発明を実施するための形態】
【００２９】
＜第１実施形態＞
本発明の第１実施形態にかかるバイオセンサおよびこのバイオセンサの製造方法について図１〜図４を参照して説明する。
【００３０】
（バイオセンサの構成および製造方法）
図１は本発明の第１実施形態にかかるバイオセンサを示す図であって、（ａ）は分解斜視図、（ｂ）は斜視図である。図２は図１のバイオセンサのキャビティ部分の横断面図である。図３は本発明の第１実施形態にかかるバイオセンサの製造方法を示す図であって、（ａ）〜（ｃ）はそれぞれ異なる工程を示す。
【００３１】
この発明のバイオセンサ１００は、作用極１０１および対極１０２を含む電極系と、メディエータおよび測定対象物質と反応する酵素を含む反応層１０６とを有し、測定器（図示省略）に装着されて使用されるものである。すなわち、測定器に装着されたバイオセンサ１００の先端側に設けられたキャビティ１０３に供給された血液などの試料に含まれるグルコースなどの測定対象物質と、バイオセンサ１００に設けられた反応層１０６とが反応することで生成される還元物質を、作用極１０１と対極１０２との間に電圧を印加して酸化することにより得られる酸化電流を計測することで、試料に含まれる測定対象物質の定量が行われる。
【００３２】
すなわち、バイオセンサ１００は、図１および図２に示すように、それぞれ、セラミック、ガラス、プラスチック、紙、生分解性材料、ポリエチレンテレフタレートなどの絶縁性材料により形成された、作用極１０１および対極１０２を含む電極系が設けられた電極層１１０と、キャビティ１０３に連通する空気穴１０５が形成されたカバー層１３０と、キャビティ１０３を形成するためのスリット１０４が形成され、電極層１１０およびカバー層１３０に挟まれて配置されるスペーサ層１２０とが、試料導入口１０３ａが設けられる先端側が揃った状態で積層されて接着されることにより形成される。また、作用極１０１および対極１０２上には、試料に含まれるグルコースなどの測定対象物質と反応する酵素を含む反応層１０６が設けられている。そして、後端側から測定器の所定の挿入口に挿入されて装着されることで、バイオセンサ１００は測定器に装着される。
【００３３】
この実施形態では、電極層１１０は、ポリエチレンテレフタレートなどの絶縁性材料から成る絶縁性基板により形成される。また、電極層１１０を形成する絶縁性基板の一方面に、白金、金、パラジウムなどの貴金属やカーボン、銅、アルミニウム、チタン、ＩＴＯ（Indium Tin Oxide：酸化インジウム錫）、ＺｎＯ（Zinc Oxide：酸化亜鉛）などの導電性物質から成る導電層が、スクリーン印刷やスパッタリング蒸着法により形成されている。そして、絶縁性基板の一方面に形成された導電層に、レーザ加工やフォトリソグラフィによるパターン形成が施されることにより、作用極１０１および対極１０２と、バイオセンサセンサチップ１００が測定器に装着されたときに、作用極１０１および対極１０２のそれぞれと測定器とを電気的に接続する電極パターン１０１ａ，１０２ａとを含む電極系が形成される。
【００３４】
また、作用極１０１および対極１０２は、それぞれの先端側が、キャビティ１０３に露出するように配置される。また、作用極１０１および対極１０２それぞれの後端側の電極パターン１０１ａ，１０２ａは、試料導入口１０３ａと反対側の電極層１１０の端縁であって、スペーサ層１２０が積層されない電極層１１０の端縁まで延伸されて形成される。
【００３５】
次に、上記したようにして形成された電極層１１０にスペーサ層１２０が積層される。スペーサ層１２０は、ポリエチレンテレフタレートなどの絶縁性材料から成る基板により形成され、基板の先端縁部のほぼ中央にキャビティ１０３を形成するためのスリット１０４が形成されている。そして、スリット１０４が、作用極１０１および対極１０２の先端側に配置されて、スペーサ層１２０が電極層１１０の一方面を部分的に被覆して積層されることにより、電極層１１０およびスリット１０４により試料が供給されるキャビティ１０３が形成される。
【００３６】
続いて、電極層１１０にスペーサ層１２０が積層されて形成されるキャビティ１０３部分が、プラズマにより洗浄処理された後に、反応層１０６が形成される。なお、プラズマ洗浄工程において使用されるプラズマは、酸素プラズマ、窒素プラズマ、アルゴンプラズマなど、プラズマによる金属活性化処理において使用される種々のプラズマを使用することができ、減圧プラズマであっても大気圧プラズマであってもよい。
【００３７】
図３（ａ）〜（ｃ）に示すように、反応層１０６は、カバー層１３０がスペーサ層１２０に積層される前に、キャビティ１０３に露出する作用極１０１および対極１０２の先端側に、カルボキシメチルセルロース（ＣＭＣ）などの酸素原子の二重結合を有する親水性高分子を含有する試薬２０１と、酵素および酸素原子の二重結合を有さない親水性高分子を含有する試薬２０２と、メディエータおよび酸素原子の二重結合を有さない親水性高分子を含有する２０３とを順番に滴下することにより形成される。また、キャビティ１０４への血液などの試料の供給を円滑にするために、界面活性剤やリン脂質などの親水化剤がキャビティ１０３内壁に塗布される。
【００３８】
具体的には、反応層１０６は、電極層１１０上に設けられ酸素原子の二重結合を有する親水性高分子を含む親水層１０６ａと、親水層１０６ａに積層され、酵素および酸素原子の二重結合を有さない親水性高分子を含む酵素層１０６ｂと、酵素層１０６ｂに積層され、メディエータおよび酸素原子の二重結合を有さない親水性高分子を含むメディエータ層１０６ｃとを備え、次のようにして形成される。
【００３９】
すなわち、図３（ａ）に示すように、酸素原子の二重結合を有する親水性高分子としてＣＭＣを含有する試薬２０１が滴下装置２００からキャビティ１０３に所定量滴下されて乾燥することにより親水層１０６ａが形成される（親水層形成工程）。次に、図３（ｂ）に示すように、酵素および酸素原子の二重結合を有さない親水性高分子としてメチルセルロースを含有する試薬２０２が滴下装置２００からキャビティ１０３に所定量滴下されて乾燥することにより酵素層１０６ｂが形成される（酵素層形成工程）。
【００４０】
続いて、図３（ｃ）に示すように、メディエータおよび酸素原子の二重結合を有さない親水性高分子としてヒドロキシプロピルメチルセルロースを含有する試薬２０３が滴下装置２００からキャビティ１０３に所定量滴下されて乾燥することによりメディエータ層１０６ｃが形成されることにより（メディエータ層形成工程）、反応層１０６が形成される。
【００４１】
なお、上記した例では、酵素層１０６ｂがキャビティ１０３に形成された後に、酵素層１０６ｂ上にメディエータ層１０６ｃが形成されるが、メディエータ層１０６ｃがキャビティ１０３に形成された後に、メディエータ層１０６ｃ上に酵素層１０６ｂが形成されてもよい。以上のように、この実施形態では、酵素層１０６ｂおよびメディエータ層１０６ｃにより本発明の「試薬層」が構成されている。
【００４２】
また、酵素としては、グルコースオキシダーゼ、乳酸オキシダーゼ、コレステロールオキシダーゼ、アルコールオキシダーゼ、ザルコシンオキシダーゼ、フルクトシルアミンオキシダーゼ、ピルビン酸オキシダーゼ、グルコースデヒドロゲナーゼ、乳酸デヒドロゲナーゼ、アルコールデヒドロゲナーゼ、ヒドロキシ酪酸デヒドロゲナーゼ、コレステロールエステラーゼ、クレアチニナーゼ、クレアチナーゼ、ＤＮＡポリメラーゼなどを用いることができ、これらの酵素を検出したい測定対象物質（グルコース、乳酸、コレステロール、アルコール、ザルコシン、フルクトシルアミン、ピルビン酸、ヒドロキシ酪酸など）に応じて選択することで種々のセンサを形成することができる。
【００４３】
例えば、グルコースオキシダーゼまたはグルコースデヒドロゲナーゼを用いれば血液試料中のグルコースを検出するグルコースセンサを形成でき、アルコールオキシダーゼまたはアルコールデヒドロゲナーゼを用いれば血液試料中のエタノールを検出するアルコールセンサを形成でき、乳酸オキシダーゼを用いれば血液試料中の乳酸を検出する乳酸センサを形成でき、コレステロールエステラーゼとコレステロールオキシダーゼとの混合物を用いれば総コレステロールセンサを形成できる。
【００４４】
また、メディエータとしては、フェリシアン化カリウム、フェロセン、フェロセン誘導体、ベンゾキノン、キノン誘導体、オスミウム錯体、ルテニウム錯体などを用いることができる。
【００４５】
また、酸素原子の二重結合を有する親水性高分子として、カルボニル基、アシル基、カルボキシル基、アルデヒド基、スルホ基、スルホニル基、スルホキシド基、トシル基、ニトロ基、ニトロソ基、エステル基、ケト基、ケテン基などを有するポリマーを用いることができる。
【００４６】
また、酸素原子の二重結合を有さない親水性高分子として、ヒドロキシプロピルメチルセルロース、ヒドロキシプロピルセルロース、メチルセルロース、ヒドロキシエチルセルロース、ヒドロキシエチルメチルセルロース、ポリビニルアルコール、ポリエチレングリコールなどを用いることができる。なお、試薬２０２，２０３それぞれに、酵素およびメディエータと一緒に混合される酸素原子の二重結合を有さない親水性高分子は増粘剤として機能する。また、酸素原子の二重結合を有する親水性高分子および酸素原子の二重結合を有さない親水性高分子は、それぞれ、２種類以上を組み合わせて用いてもよい。
【００４７】
また、親水化剤としては、ＴｒｉｔｏｎＸ１００（シグマアルドリッチ社製）、Ｔｗｅｅｎ２０（東京化成工業社製）、ビス（２−エチルヘキシル）スルホコハク酸ナトリウムなどの界面活性剤、レシチンなどのリン脂質を用いることができる。また、親水化剤は、上記したようにキャビティ１０３に塗布する以外に、試薬２０２，２０３それぞれに混合してキャビティ１０３に滴下したり、試薬層が形成された後にキャビティ１０４に滴下してもよい。カバー層１３０のスペーサ層側の面に塗布してもよい。また、試料に含まれるイオン濃度のばらつきを低減するために、リン酸などの緩衝剤を設けてもよい。
【００４８】
次に、反応層１０６がキャビティ１０３に形成された後に、ポリエチレンテレフタレートなどの絶縁性材料から成る基板により形成されたカバー層１３０が、スペーサ層１２０に積層されることにより、バイオセンサ１００が形成される。図１（ａ），（ｂ）に示すように、カバー層１３０には、スペーサ層１２０に積層されたときにキャビティ１０３と連通する空気穴１０５が形成されており、カバー層１３０は、キャビティ１０３を被覆してスペーサ層１２０に積層される。
【００４９】
なお、この実施形態では、バイオセンサ１００は、血液中のグルコースの定量を行うことを目的に形成されており、測定対象物質としてのグルコースと特異的に反応する酵素としてＦＡＤ（フラビンアデニンジヌクレオチド）を補酵素とするＧＤＨ（グルコースデヒドロゲナーゼ）（以下、ＦＡＤ−ＧＤＨと表記する）を含み、測定対象物であるグルコースとＦＡＤ−ＧＤＨとの反応により生成される電子により還元されて還元物質と成るメディエータとしてフェリシアン化カリウムを含む反応層１０６がキャビティ１０３に露出する作用極１０１および対極１０２の先端側に設けられている。
【００５０】
このように構成されたバイオセンサ１００では、先端の試料導入口１０３ａに血液から成る試料を接触させることにより、毛細管現象により試料が空気穴１０５に向かって吸引されてキャビティ１０３に試料が供給される。そして、キャビティ１０３に供給された試料に反応層１０６が溶解することにより、試料中の測定対象物質であるグルコースとＦＡＤ−ＧＤＨとの酵素反応により電子が放出され、放出された電子によりフェリシアン化イオンが還元されて還元物質であるフェロシアン化イオンが生成される。そして、反応層１０６が試料に溶解することによる酸化還元反応により生成された還元物質を、バイオセンサ１００の作用極１０１と対極１０２との間に電圧（例えば０．３Ｖ）を印加して電気化学的に酸化することにより、作用極１０１と対極１０２との間に流れる酸化電流を計測することで試料中のグルコースの定量が測定器において行われる。なお、バイオセンサ１００の作用極１０１と対極１０２との間に電圧が印加された後、３〜５秒後の電流値が酸化電流として計測される。
【００５１】
（バックグランド電流の比較例）
図４はバイオセンサの保管期間とバックグランド電流との関係を示す図であり、横軸が保管期間（ｈ）を示し、縦軸がバックグランド電流の大きさ（μＡ）を示す。また、同図中の◆は、酵素層１０６ｂおよびメディエータ層１０６ｃが酸素原子の二重結合を有さない親水性高分子を含まない従来のバイオセンサのバックグランド電流を示し、同図中の■は、本実施形態のバイオセンサ１００のバックグランド電流を示す。なお、バックグランド電流の測定は、バックグランド電流測定用の試料をキャビティ１０３に供給した後、通常の手順と同様に酸化電流を計測することにより行った。
【００５２】
図４に示すように、バイオセンサの保管期間が長くなるのに伴い、従来のバイオセンサでは経時的にバックグランド電流が増大するのに対して、本実施形態のバイオセンサ１００ではバックグランド電流が増大するのが抑制されている。
【００５３】
以上のように、この実施形態によれば、スペーサ層１２０のスリット１０４により形成されたキャビティ１０３に露出する作用極１０１および対極１０２の先端側に設けられた反応層１０６は、電極層１１０上に設けられ、ＣＭＣを含む親水層１０６ａと、親水層１０６ａに積層され、酵素およびメチルセルロースを含む酵素層１０６ｂと、酵素層１０６ｂに積層され、メディエータおよびヒドロキシプロピルメチルセルロースを含むメディエータ層１０６ｃとを備えている。親水性高分子が酸素原子の二重結合を有する場合、酸素結合の二重結合を有する官能基がメディエータに対して求核攻撃することによりメディエータが還元されると考えられるが、酸素原子の二重結合を有する親水性高分子を含む親水層１０６ａに分離して積層された試薬層（酵素層１０６ｂ、メディエータ層１０６ｃ）には、酵素およびメディエータと、酸素原子の二重結合を有さない親水性高分子とが含まれている。
【００５４】
したがって、メディエータの周囲が酸素原子の二重結合を有さない親水性高分子であるヒドロキシプロピルメチルセルロースにより囲まれた状態となるので、保管状態においてメディエータ層１０６ｃに含まれるメディエータが親水層１０６ａの親水性高分子であるＣＭＣと接触するのを防止することができ、メディエータが親水層１０６ａのＣＭＣにより還元されるのを抑制することができる。
【００５５】
また、一般的に、酸素原子の二重結合を有する親水性高分子は、酸素原子の二重結合を有さない親水性高分子よりも血球等の移動を阻止する効果が高く、電極層１１０上に設けられた親水層１０６ａには、酸素原子の二重結合を有するＣＭＣが含まれているため、バイオセンサ１００のキャビティ１０３に血液試料が供給された場合に、親水層１０６ａのＣＭＣにより血液試料が効率よく濾過されて血液試料に含まれる血球の移動が阻止されるので、血液試料のヘマトクリット値の差異に伴う測定精度への影響を低減することができる。したがって、正確で信頼性の高いバイオセンサ１００を提供することができる。
【００５６】
また、酵素および酸素原子の二重結合を有さないメチルセルロースを含む酵素層１０６ｂと、メディエータおよび酸素原子の二重結合を有さないヒドロキシプロピルメチルセルロースを含むメディエータ層１０６ｃとにより試薬層が形成されており、酵素およびメディエータが分離された状態であるので、保管状態において酵素とメディエータとが反応するのを抑制することができる。
【００５７】
また、酵素層１０６ｂ上にメディエータ層１０６ｃが積層されており、電極層１１０により近い位置に酵素層１０６ｂが配置されている。酵素の移動度はメディエータより小さいので、電極近傍での酵素・メディエータ量が、メディエータの上に酵素が積層された場合より多くなり、センサの応答性と測定精度が向上する。
【００５８】
また、ヒドロキシプロピルメチルセルロース、ヒドロキシプロピルセルロース、メチルセルロース、ヒドロキシエチルセルロース、ヒドロキシエチルメチルセルロース、ポリビニルアルコール、ポリエチレングリコールのうちの少なくとも１つが酸素原子の二重結合を有さない親水性高分子として試薬層に含まれることにより、試薬層に含まれるメディエータが還元されるのを防止できると共に、試薬層が親水層１０６ａから剥離するのを防止できるので、実用的な構成のバイオセンサ１１０を提供することができる。
【００５９】
また、酸素原子の二重結合を有する親水性高分子として少なくともＣＭＣを含む親水層１０６ａを電極層１１０上に設けることにより、親水層１０６ａに積層される試薬層が剥離するのを防止することができる。また、バイオセンサ１００のキャビティ１０３に血液試料が供給された場合に、親水層１０６ａの親水性高分子により血液試料が濾過されて血液試料に含まれる血球の移動が阻止されるので、血液試料のヘマトクリット値の差異に伴う測定精度への影響を低減することができる。以上のように本試薬構造を採用することで、CMCによるメディエータの還元に伴うバックグラウンド電流増加の抑制と、CMC由来のヘマトクリット値の差異による測定精度ばらつきに対する低減効果を両立できる。そのため、正確で信頼性の高いバイオセンサ１００を提供することができる。
【００６０】
＜第２実施形態＞
本発明の第２実施形態にかかるバイオセンサについて図５を参照して説明する。図５は本発明の第２実施形態にかかるバイオセンサのキャビティ部分の横断面図である。この実施形態が上記した第１実施形態と異なるのは、図５に示すように、親水層１０６ａと酵素層１０６ｂ（試薬層）との間に、酸素原子の二重結合を有さない親水性高分子を含む中間層１０６ｄがさらに設けられている点である。その他の構成は上記した第１実施形態と同一であるため、その構成および動作の説明は同一符号を付すことにより省略する。
【００６１】
このように構成すると、親水層１０６ａと酵素層１０６ｂとの間に、酸素原子の二重結合を有さない親水性高分子を含む中間層１０６ｄが設けられており、親水層１０６ａに含まれる酸素原子の二重結合を有する親水性高分子がメディエータ層１０６ｃに含まれるメディエータに接触するのが中間層１０６ｄによってより一層防止されるので、メディエータ層１０６ｃに含まれるメディエータが親水層１０６ａの親水性高分子により還元されるのをさらに抑制することができる。
【００６２】
＜第３実施形態＞
本発明の第３実施形態にかかるバイオセンサについて図６を参照して説明する。図６は発明の第３実施形態にかかるバイオセンサのキャビティ部分の横断面図である。この実施形態が上記した第２実施形態と異なるのは、図６に示すように、酵素およびメディエータと、酸素原子の二重結合を有さない親水性高分子を含む一層構造の試薬層１０６ｅが中間層１０６ｄに積層されている点である。その他の構成は上記した第１実施形態と同一であるため、その構成および動作の説明は同一符号を付すことにより省略する。
【００６３】
以上のように、この実施形態でも上記した第１および第２実施形態と同様の効果を奏することができる。
【００６４】
＜第４実施形態＞
本発明の第４実施形態にかかるバイオセンサについて図７を参照して説明する。図７は発明の第４実施形態にかかるバイオセンサのキャビティ部分の横断面図である。この実施形態が上記した第１実施形態と異なるのは、図７に示すように、酵素およびメディエータと、酸素原子の二重結合を有さない親水性高分子を含む一層構造の試薬層１０６ｅが親水層１０６ａに積層されている点である。その他の構成は上記した第１実施形態と同一であるため、その構成および動作の説明は同一符号を付すことにより省略する。
【００６５】
以上のように、この実施形態でも上記した第１実施形態と同様の効果を奏することができる。
【００６６】
なお、本発明は上記した実施形態に限定されるものではなく、その趣旨を逸脱しない限りにおいて、上記したもの以外に種々の変更を行なうことが可能であり、例えば、試薬層を、酵素層１０６ｂおよびメディエータ層１０６ｃと、酵素層１０６ｂおよびメディエータ層１０６ｃの間に設けられる酸素原子の二重結合を有さない親水性高分子を含む中間層との３層構造に形成してもよい。このようにすると、酵素層１０６ｂに含まれる酵素とメディエータ層１０６ｃに含まれるメディエータとが中間層により接触するのが防止されるので、保管状態において、酵素およびメディエータが反応するのを効果的に防止することができる。
【００６７】
また、酸素原子の二重結合を有さない親水性高分子を、複数種類組み合わせて試薬層に適切に混合することにより、血液試料中の血球の移動を効果的に阻止したり、酵素層およびメディエータ層の拡散、混合が低減されてメディエータの還元を抑制する抑制効果を向上することができる。
【００６８】
また、上記したバイオセンサ１００の反応層１０６に含まれる酵素およびメディエータの組合せを変更することによりエタノールセンサや乳酸センサなどを形成してもよい。
【００６９】
また、上記した実施形態では、バイオセンサ１００は、作用極１０１および対極１０２を有する二極電極構造に形成されているが、参照極をさらに設けることによりバイオセンサ１００を三極電極構造に形成してもよい。この場合、対極１０２を接地して電圧出力部により参照極に参照電位を印加した状態で、作用極１０１に対極１０２を基準とする所定電位を印加すればよい。
【００７０】
また、上記した実施形態では、作用極１０１と対極１０２との間に所定電圧を印加することにより、作用極１０１と対極１０２との間に流れる電流を監視することで、キャビティ１０３に血液試料が供給されたことが検出されるが、キャビティ１０３に試料が供給されたことを検知するための検知用電極をさらに設けてもよい。この場合、対極１０２と検知用電極との間に所定電圧を印加することにより、対極１０２と検知用電極との間に流れる電流を監視することで、キャビティ１０３に試料が供給されたことを検出すればよい。
【００７１】
また、バイオセンサ１００を形成する電極層１１０、スペーサ層１２０およびカバー層１３０のうち、少なくともカバー層１３０は、キャビティ１０３に血液試料が供給されたことを視認できるように透明な部材で形成するのが望ましい。
【産業上の利用可能性】
【００７２】
作用極および対極を含む電極系が設けられた電極層と、キャビティを形成するためのスリットが形成されて電極層に積層されるスペーサ層と、キャビティに連通する空気穴が形成されてスペーサ層に積層されるカバー層と、作用極および対極に設けられた反応層とを備えるバイオセンサに本発明を広く適用することができる。
【符号の説明】
【００７３】
１００    バイオセンサ
１０１    作用極
１０２    対極
１０３    キャビティ
１０４    スリット
１０５    空気穴
１０６    反応層
１０６ａ    親水層
１０６ｂ    酵素層
１０６ｃ    メディエータ層
１０６ｄ    中間層
１０６ｅ    試薬層
１１０    電極層
１２０    スペーサ層
１３０    カバー層
【図１】
2013137172.tif 000003
【図２】
2013137172.tif 000004
【図３】
2013137172.tif 000005
【図４】
2013137172.tif 000006
【図５】
2013137172.tif 000007
【図６】
2013137172.tif 000008
【図７】
2013137172.tif 000009
【図８】
2013137172.tif 000010
【手続補正書】
【提出日】平成26年10月2日(2014.10.2)
【手続補正１】
【補正対象書類名】明細書
【補正対象項目名】００１４
【補正方法】変更
【補正の内容】
【００１４】
上記した目的を達成するために、本発明のバイオセンサは、絶縁性基板の一方面に作用極および対極を含む電極系が設けられた電極層と、スリットが形成されて、前記スリットが前記作用極および前記対極の先端側に配置されて前記電極層の前記一方面に積層されるスペーサ層と、前記電極層および前記スリットにより形成されて試料が供給されるキャビティと、前記キャビティに連通する空気穴が形成されて前記キャビティを被覆して前記スペーサ層に積層されるカバー層と、前記キャビティに露出する前記作用極および前記対極の先端側に設けられた反応層とを備えるバイオセンサにおいて、前記反応層は、前記電極層上に設けられ、酸素原子の二重結合を有する親水性高分子を含む親水層と、前記親水層に積層され、測定対象物質と反応する酵素およびメディエータと、酸素原子の二重結合を有さない親水性高分子を含む試薬層とを備え、前記試薬層は、前記酵素および前記酸素原子の二重結合を有さない親水性高分子を含む酵素層と、前記メディエータおよび前記酸素原子の二重結合を有さない親水性高分子を含むメディエータ層とを備えることを特徴としている（請求項１）。
【手続補正２】
【補正対象書類名】明細書
【補正対象項目名】００１６
【補正方法】変更
【補正の内容】
【００１６】
したがって、メディエータの周囲が酸素原子の二重結合を有さない親水性高分子により囲まれた状態となるので、保管状態において試薬層に含まれるメディエータが親水層の親水性高分子と接触するのを防止することができ、メディエータが親水層の親水性高分子により還元されるのを抑制することができる。また、一般的に、酸素原子の二重結合を有する親水性高分子は、酸素原子の二重結合を有さない親水性高分子よりも血球等の移動を阻止する効果が高く、電極層上に設けられた親水層には、酸素原子の二重結合を有する親水性高分子が含まれているため、バイオセンサのキャビティに例えば血液試料が供給された場合に、親水層の親水性高分子により血液試料が効率よく濾過されて血液試料に含まれる血球の移動が阻止されるので、血液試料のヘマトクリット値の差異に伴う測定精度への影響を低減することができる。したがって、本試薬構造により、メディエータの還元抑制とヘマトクリット値の差異に伴う測定精度への影響低減を両立することが可能となり、正確で信頼性の高いバイオセンサを提供することができる。
また、酵素および酸素原子の二重結合を有さない親水性高分子を含む酵素層と、メディエータおよび酸素原子の二重結合を有さない親水性高分子を含むメディエータ層とにより試薬層が形成されており、酵素およびメディエータが分離された状態であるので、保管状態においてメディエータが酵素により還元されるのを抑制することができる。
【手続補正３】
【補正対象書類名】明細書
【補正対象項目名】００１９
【補正方法】削除
【補正の内容】
【手続補正４】
【補正対象書類名】明細書
【補正対象項目名】００２０
【補正方法】削除
【補正の内容】
【手続補正５】
【補正対象書類名】明細書
【補正対象項目名】００２１
【補正方法】変更
【補正の内容】
【００２１】
また、前記酵素層上に前記メディエータ層が積層されていてもよい（請求項３）。
【手続補正６】
【補正対象書類名】明細書
【補正対象項目名】００２３
【補正方法】変更
【補正の内容】
【００２３】
また、前記酸素原子の二重結合を有さない親水性高分子は、ヒドロキシプロピルメチルセルロース、ヒドロキシプロピルセルロース、メチルセルロース、ヒドロキシエチルセルロース、ヒドロキシエチルメチルセルロース、ポリビニルアルコール、ポリエチレングリコールのうちの少なくとも１つを含むとよい（請求項４）。
【手続補正７】
【補正対象書類名】明細書
【補正対象項目名】００２５
【補正方法】変更
【補正の内容】
【００２５】
また、前記酸素原子の二重結合を有する親水性高分子は、少なくともカルボキシメチルセルロースを含むとよい（請求項５）。
【手続補正８】
【補正対象書類名】特許請求の範囲
【補正対象項目名】全文
【補正方法】変更
【補正の内容】
【特許請求の範囲】
【請求項１】
絶縁性基板の一方面に作用極および対極を含む電極系が設けられた電極層と、
スリットが形成されて、前記スリットが前記作用極および前記対極の先端側に配置されて前記電極層の前記一方面に積層されるスペーサ層と、
前記電極層および前記スリットにより形成されて試料が供給されるキャビティと、
前記キャビティに連通する空気穴が形成されて前記キャビティを被覆して前記スペーサ層に積層されるカバー層と、
前記キャビティに露出する前記作用極および前記対極の先端側に設けられた反応層とを備えるバイオセンサにおいて、
前記反応層は、
前記電極層上に設けられ、酸素原子の二重結合を有する親水性高分子を含む親水層と、
前記親水層に積層され、測定対象物質と反応する酵素およびメディエータと、酸素原子の二重結合を有さない親水性高分子を含む試薬層と
を備え、前記試薬層は、
前記酵素および前記酸素原子の二重結合を有さない親水性高分子を含む酵素層と、
前記メディエータおよび前記酸素原子の二重結合を有さない親水性高分子を含むメディエータ層と
を備える、バイオセンサ。
【請求項２】
前記反応層は、
前記親水層と前記試薬層との間に、前記酸素原子の二重結合を有さない親水性高分子を含む中間層をさらに備えることを特徴とする請求項１に記載のバイオセンサ。
【請求項３】
前記酵素層上に前記メディエータ層が積層されていることを特徴とする請求項１に記載のバイオセンサ。
【請求項４】
前記酸素原子の二重結合を有さない親水性高分子は、ヒドロキシプロピルメチルセルロース、ヒドロキシプロピルセルロース、メチルセルロース、ヒドロキシエチルセルロース、ヒドロキシエチルメチルセルロース、ポリビニルアルコール、ポリエチレングリコールのうちの少なくとも１つを含むことを特徴とする請求項１ないし３のいずれかに記載のバイオセンサ。
【請求項５】
前記酸素原子の二重結合を有する親水性高分子は、少なくともカルボキシメチルセルロースを含むことを特徴とする請求項１ないし４のいずれかに記載のバイオセンサ。
【国際調査報告】
2013137172.tif 000011
2013137172.tif 000012
2013137172.tif 000013
2013137172.tif 000014